(57)【特許請求の範囲】
【請求項１】
ドーム屋根形状をした可撓膜体を外周リング状の環状部膜体と平面円形状の天頂部膜体とで形成し、該天頂部膜体は大径の天頂布上膜と小径の天頂布下膜とで二枚重ねに形成し、それぞれの外周端部を上記環状部膜体の上面に気密接合し、該天頂布下膜は天頂布上膜から垂れ下がらない程度に部分固定されている以外は天頂布下膜と天頂布上膜はフリーの状態とし、上記天頂布上膜の上面の同一円周上対称位置に、可撓膜体全体を吊り上げる吊りテープをそれぞれ取付けて形成したことを特徴とするドーム屋根形状をした可撓膜体の天頂部の吊り部材。
【請求項２】
上記天頂布上膜の上面に固定する吊りテープ取付け布に吊りテープの両裾部を縫い付け、該吊りテープ取付け布を上記天頂布上膜の上面の同一円周上対称位置に取付けたことを特徴とする請求項１記載のドーム屋根形状をした可撓膜体の天頂部の吊り部材。
【請求項３】
上記吊りテープは、帯状タブ材で環状に形成し、この環下部途中を水平ライン状に縫い合わせ、さらにこの吊りテープの残余両裾部の上に押えテープを重ね合わせ、その上から吊りテープ取り付け布に縫い付けて形成したことを特徴とする請求項１又は２記載のドーム屋根形状をした可撓膜体の天頂部の吊り部材。
【発明の詳細な説明】
【技術分野】
【０００１】
この発明は、水や石油等の液体、低温液化ガス、消化ガス、粉体、粒状物などの各種貯蔵物を貯蔵する貯槽等構築物の上部を被覆するドーム（以下、本発明でいうドームとは球面、曲面、多面体等各種形状のものを含む）屋根等を構築するエアードーム工法におけるドーム屋根形状をした可撓膜体の天頂部の吊り部材に関するものである。
【背景技術】
【０００２】
貯槽等構築物の上部を被覆するドーム屋根を構築するエアードーム工法について、図８に基づいて説明する。
貯槽１０１は、平底円形の底版１０３と、この底版１０３の外周縁近傍に立設した円筒形状の側壁１０４と、この側壁１０４の上部を被覆する割球殻形状のドーム屋根１０２とで形成する。これらの底版１０３、側壁１０４、及びドーム屋根１０２は、コンクリート構造又は金属構造、或いはコンクリート構造と金属構造などを組合せて形成する。
このドーム屋根１０２を施工するために、貯槽１０１の上部を被覆する可撓膜体１０５の周縁を、側壁１０４の上端部に気密に固着し、送風機１０６を利用してこの可撓膜体１０５の下部に空気を導入して緊張させ、この緊張した可撓膜体１０５の上部にモルタル、コンクリートなどの屋根部材を施工する。この可撓膜体１０５は、繊維織物に樹脂材料等をコーティングした可撓性を有する膜材が用いられている。
【０００３】
上記ドーム屋根を構築するエアードーム工法に関する発明には、特許第２９１３３３１号公報「ドーム屋根形状をした可撓膜体の取付け及び支持法とその作業架台」がある。この発明は、底版と側壁よりなる貯槽等構造物本体の底版中央に側壁よりも高いセンター架台を設け、この架台から側壁上部に放射状に複数本のロープを張設し、このロープ上で可撓膜体を支えながら展開し、作業者は可撓膜体の周縁部に取付けたロープを引張って、可撓膜体の周縁部を側壁の上部に気密に固定するようにしたものである。
【０００４】
また、可撓膜体の天頂部の構造に関する発明には、特許第２９３９９２６号公報「空気膜の天頂部構造」がある。この発明は、円形状に形成した天頂膜片と、該天頂部を囲む環状膜片を接合して割球殻状の形状に形成した空気膜の天頂部構造において、上記天頂膜片は、上記環状膜片の上に重ね合わせて縫合して形成した天頂下膜と、さらにその上に重ね合わせて溶着して形成した天頂上膜とで形成したものである。
【先行技術文献】
【特許文献】
【０００５】
【特許文献１】特許第２９１３３３１号公報
【特許文献２】特許第２９３９９２６号公報
【発明の概要】
【発明が解決しようとする課題】
【０００６】
上記ドーム屋根を構築するエアードーム工法に関する特許第２９１３３３１号公報「ドーム屋根形状をした可撓膜体の取付け及び支持法とその作業架台」の発明は、貯槽等構造物本体の底版中央に設けたセンター架台と側壁上部に至る放射状のロープを使用して可撓膜体の荷重を支えながら広げて側壁の上部に作業性良く固定するものであるが、クレーンを使用して重いシート状の可撓膜体をセンター架台上に吊り上げて展開する際に、可撓膜体の天頂部の吊り部分に荷重が集中するため、天頂部近傍の膜体及び吊り部分が損傷する心配があった。また、天頂部の吊り部分から下方に向けて膜体が捩れないように保持することが難しく、可撓膜体の周縁部を平均に引っ張ることに労力を要し、可撓膜体１０５の取付作業に手間がかかった。
【０００７】
また、上記紹介した特許第２９３９９２６号公報「空気膜の天頂部構造」の発明は、天頂下膜と天頂上膜とで形成した空気膜の天頂部構造には、可撓膜体を吊り上げて施工するための可撓膜体の天頂部の吊り部の構造は何ら記載されていなかった。
【０００８】
この発明の目的は、上述のような従来技術の吊り上げ構造が有する問題点に鑑みてなされたもので、可撓膜体を吊り上げて移動する際に、可撓膜体の吊り部を固着する天頂布を傷めないように保護し、作業性良く吊り上げ移動し、可撓膜体の取付けを適正に施工するエアードーム工法におけるドーム屋根形状をした可撓膜体の天頂部の吊り部材を提供するものである。
【課題を解決するための手段】
【０００９】
請求項１記載のドーム屋根形状をした可撓膜体の天頂部の吊り部材は、ドーム屋根形状をした可撓膜体を外周リング状の環状部膜体と平面円形状の天頂部膜体とで形成し、該天頂部膜体は大径の天頂布上膜と小径の天頂布下膜とで二枚重ねに形成し、それぞれの外周端部を上記環状部膜体の上面に気密接合し、該天頂布下膜は天頂布上膜から垂れ下がらない程度に部分固定されている以外は天頂布下膜と天頂布上膜はフリーの状態とし、上記天頂布上膜の上面の同一円周上対称位置に、可撓膜体全体を吊り上げる吊りテープをそれぞれ取付けて形成したことを特徴とする。
【００１０】
請求項２記載のドーム屋根形状をした可撓膜体の天頂部の吊り部材は、上記天頂布上膜の上面に固定する吊りテープ取付け布に吊りテープの両裾部を縫い付け、該吊りテープ取付け布を上記天頂布上膜の上面の同一円周上対称位置に取付けたことを特徴とする。
【００１１】
請求項３記載のドーム屋根形状をした可撓膜体の天頂部の吊り部材は、
上記吊りテープを、帯状タブ材で環状に形成し、この環下部途中を水平ライン状に縫い合わせ、さらにこの吊りテープの残余両裾部の上に押えテープを重ね合わせ、その上から吊りテープ取付け布に縫い付けて形成したものである。
【発明の効果】
【００１２】
請求項１記載のドーム屋根形状をした可撓膜体の天頂部の吊り部材は、ドーム屋根形状をした可撓膜体を外周リング状の環状部膜体と平面円形状の天頂部膜体とで形成し、該天頂部膜体は大径の天頂布上膜と小径の天頂布下膜とで二枚重ねに形成し、それぞれの外周端部を上記環状部膜体の上面に気密接合し、該天頂布下膜は天頂布上膜から垂れ下がらない程度に部分固定されている以外は天頂布下膜と天頂布上膜はフリーの状態とし、上記天頂布上膜の上面の同一円周上対称位置に、可撓膜体全体を吊り上げる吊りテープをそれぞれ取付けて形成したので、天頂布及び吊り部分を傷めず、天頂布から下方のドーム形状をした可撓膜体が捩れることなく、可撓膜体を平均に吊り上げて展開がし易く、可撓膜体の取付けを作業性良く適正に施工することができる。さらに、天頂布下膜は天頂布上膜から垂れ下がらない程度に部分固定されているので、可撓膜体の吊り上げ時に天頂布下膜が天頂布上膜から分離して垂れ下がることがなく、迅速な作業が可能となり、かつ吊りテープを固定した天頂布上膜が万が一、破損しようとも可撓膜体の天頂部は天頂布下膜で被覆保護されているので安心である。
【００１３】
請求項２記載のドーム屋根形状をした可撓膜体の天頂部の吊り部材は、上記天頂布上膜の上面に固定する吊りテープ取付け布に吊りテープの両裾部を縫い付け、該吊りテープ取付け布を上記天頂布上膜の上面の同一円周上対称位置に取付けたので、吊りテープを適性確実に取り付け布に固着することができるとともに、この取り付け布を天頂布上膜に密着し固定することができ、天頂布下膜を傷めず保護することができる。
【００１４】
請求項３記載のドーム屋根形状をした可撓膜体の天頂部の吊り部材は、上記吊りテープを、帯状タブ材で環状に形成し、この環下部途中を水平ライン状に縫い合わせ、さらにこの吊りテープの残余両裾部の上に押えテープを重ね合わせ、その上から吊りテープ取り付け布に縫い付けて形成したので、吊りテープの環が広がって剥離することがなく、この吊りテープを押えテープと吊りテープ取付け布との縫い合せによって確実に固着し一体化することができる。
【図面の簡単な説明】
【００１５】
【図１】この発明に係るドーム屋根形状をした可撓膜体の吊り部材を設け、クレーンを用いてこの可撓膜体を吊り上げ展開する状況を示す全体側面説明図である。
【図２】この発明に係るドーム屋根形状をした可撓膜体の天頂部の吊り部材を示す説明図である。
【図３】天頂部の吊り部材の吊りテープの設置状況を示す平面説明図である。
【図４】天頂部の吊り部材の吊りテープの設置状況を示す側断面説明図である。
【図５】吊りテープの構造状況を示す側面説明図である。
【図６】図５の吊りテープの平面説明図である。
【図７】吊りテープの構造状況を示す斜視説明図である。
【図８】ドーム屋根を構築するエアードーム工法を説明する側面説明図である。
【発明を実施するための形態】
【００１６】
この発明に係るドーム屋根形状をした可撓膜体の天頂部の膜体吊り部材の実施形態を、図１乃至図７に基づいて説明する。
【００１７】
図１は、クレーン９を用いて可撓膜体５を吊り上げ、可撓膜体５の周囲端縁に設けた引込みロープ１０を引張って展開する状況を示す側面説明図である。
貯槽１のドーム屋根２を構築する側壁４の外周に沿った位置に足場７を設け、さらに貯槽１内の中央部にセンター架台８を設け、このセンター架台８上部位置から側壁４の上部にわたって放射状に複数本の支え用の補助ワイヤー６を張る。
可撓膜体５の天頂部近傍に、膜体吊り用部材１２を設ける。この吊り用部材１２に吊り上げロープ１１を懸架し、クレーン９を使用して可撓膜体５を吊り上げ、貯槽１の中央部に設けたセンター架台８の上方へ移動する。
【００１８】
複数の作業者はそれぞれ、可撓膜体５の周囲端縁に設けた展開用の引込みロープ１０を引っ張り、上記放射状の補助ワイヤー６で可撓膜体５を支えながら展開し、可撓膜体５の周縁を側壁４の上端部に固定する。
平均に吊り上げた可撓膜体５は、天頂部から下方に向けて捩れることなく展開して、作業性良く取付けを行うことができる。
【００１９】
図２は、可撓膜体５を吊り上げる状況を示す天頂部近傍の説明図である。
膜体吊り用部材１２は、図の破線で示す部位の天頂部膜体１４の同一円周上対称位置に複数の吊りテープ１３を配設し、この吊りテープ１３に吊り上げロープ１１を通してクレーン９先端の吊フック９Ａに懸架する。
可撓膜体５を吊り上げるための膜体吊り用部材１２は、天頂部膜体１４の同一円周方向に沿って複数の吊りテープ１３を配設して形成したので、可撓膜体５を平均に吊ることができ天頂部膜体１４近傍の吊り箇所を傷めることがない。
また、図示はしないが、天頂部膜体１４の同一円周方向に沿って配設した吊りテープ１３の一個当りに、可撓膜体５の下方周縁の引込みロープを一個乃至複数個設けることによって、可撓膜体５を吊りテープ１３で平均に吊って荷重負担をすると同時に、作業者が引込みロープで周囲に平均に引っ張って捩れないように展開していくことができる。
【００２０】
図３は、可撓膜体の吊り部材の吊りテープの設置状況を示す平面説明図である。
可撓膜体５は略扇形状の膜片を連結した外周リング状の環状部膜体１５と平面円形状の天頂部膜体１４とで形成し、この天頂部膜体１４の外周近傍の同一円周方向に沿う対称位置に、帯状のタブ材を環状にした複数個の吊りテープ１３を穴の方向を同一円周方向に一致させて中心点対称に配設する。
このように、吊りテープ１３を環状にして複数個を中心点対称に設置し、図示はしないが、連続した一本の帯状やロープ状などの吊り上げロープを通して吊り上げ時に吊り長さを調整して吊り上げることにより、可撓膜体５を平均にバランス良く吊り上げることができる。
図３の事例は、天頂部膜体１４上面に吊りテープ１３を４個、中心点対称に配設した場合を示すが、この吊りテープ１３は貯槽直径に応じて、例えば２５メートルまでは４個、２５メートル以上３１メートル未満は６個、３１メートル以上３５メートル未満は８個、３５メートル以上５１メートル未満は１２個、５１メートル以上は２０個を基準として、これらの複数個を中心点対称に配設する。このように個数を決める根拠は、一個当たりの吊りテープ１３に約２００キログラム程度の荷重がかかるようにする。この吊りテープ１３一個当りの強度、並びに吊りテープ１３取付け部の強度は、安全性を考慮して最低１，６００ｋｇ程度を支持できるようにしている。
図示は省略するが、この吊りテープ１３に帯び状又はロープ状などの一本の吊り上げロープを挿通し、吊りテープ１３の中間位置の吊り上げロープをクレーン先端の吊フックに引っ掛けて、可撓膜体の荷重を平均に負担させて吊り上げるように形成する。
【００２１】
図４は、可撓膜体５の天頂部近傍に設ける膜体吊り用部材１２を示す側断面説明図である。
膜体吊り用部材１２は、天頂布上膜１４Ａと吊りテープ１３などで形成する。この膜体吊り用部材１２の製作手順、製作方法について以下に記載する。
平面円形状の天頂部膜体１４は、大径の天頂布上膜１４Ａと小径の天頂布下膜１４Ｂとで二枚重ねに形成し、略扇形状の環状部膜体１５と平面円形状の天頂布下膜１４Ｂの周縁は、図のＸで示す部位で一体気密に溶着しドーム屋根形状の可撓膜体５に形成する。
この二重膜構造とした天頂布上膜１４Ａと天頂布下膜１４Ｂとの接着は、全面接着することなく天頂布１４Ｂが垂れ下がらない程度に図のＺに示す部位をスポット溶着による固定とする。
天頂布下膜１４Ｂと環状部膜体１５の上を、吊りテープ１３を配設した天頂布上膜１４Ａで覆って、図のＹで示す周縁環状部を一体に溶着する。
吊りテープ１３は天頂布上膜１４Ａの上面に、吊りテープ取付け布１６を介してＷで同一円周方向対称に複数個取付ける。このように、吊りテープ１３などの部材の取付けは天頂布上膜１４Ａに行うので、ドーム屋根膜本体を構成する天頂布下膜１４Ｂ及び環状部膜体１５に取付け加工の影響が生じない。
また、天頂布上膜１４Ａと天頂布下膜１４Ｂは全面を接着することなく二枚に分離しているので、吊り荷重の負荷が天頂布下膜１４Ｂに直接伝わることなく、環状部膜体１５の上記環状接着部の広い面積で受けるので、ドーム屋根膜本体の天頂部近傍に影響を与えることがなく損傷を生じることもない。
【００２２】
図５は、吊りテープ１３の取付け状況を示す側面説明図である。図６は、図５を上方から見た平面説明図である。
吊りテープ１３は、帯状タブ材の中央部を環状にしてその下部途中を水平ライン状に縫い合せ部１８で相互に縫合し、この吊りテープ１３の残余の吊りテープ両裾部１３Ａ,１３Ａを広げて吊りテープ取付け布１６の上に配置し、この吊りテープ両裾部１３Ａ,１３Ａの上に押えテープ１７，１７を重ね合せてその上から平行又はジグザグ状に縫い付け部１９，１９で一体に縫い付ける。
この吊りテープ１３を取り付けた略矩形状の吊りテープ取付け布１６を天頂布上膜１４Ａの上に図５のＷで固着するが、高周波による機械溶着の場合は図６の斜線Ｗで示す範囲、つまり両端の押えテープ１７の外周部を４０〜５０ミリメートル程度の幅で全周を溶着し、或いは熱風溶着又は接着剤使用の場合は吊りテープ取付け布１６の裏面全体を接合する。
吊りテープ１３、押えテープ１７の材料は、吊上げ施工時の大きな荷重に耐え得るように、強靭な引張り強度を有する合成樹脂繊維材、例えば伸びを抑制した高密度のポリエステル樹脂繊維を織込んだ材料で厚さ３〜６ミリメートル程度の部材を使用する。このような厚手の繊維材料からなる吊りテープ１３及び押えテープ１７は、吊りテープ取付け布１６又は天頂布上膜１４Ａに接着や溶着の接合では必要強度を確保することができないため、縫製結合、つまり縫い付けを行うこととなる。
吊りテープ取付け布１６の材料は、例えば厚さ１〜２ミリメートル程度の天頂布上膜１４Ａと同じ材料からなる部材を使用する。このような材料からなる吊りテープ取付け布１６は、同材質の天頂布上膜１４Ａと一体に接着や溶着によって接合するので天頂布上膜１４Ａと広い面積で必要強度を持って確実に固着することができる。
【００２３】
吊りテープ１３は、断面矩形の平帯形状、或いは断面扁平楕円形状の紐状のテープ等で環状に形成し、その下部途中を水平ライン状に縫い合せ部１８で縫合する。この吊りテープ１３は、環状部が広がって剥離することがないように絞られて確りと固定される。さらに吊りテープ１３の吊りテープ両裾部１３Ａ,１３Ａの上に押えテープ１７，１７を重ね合せ、縫い付け部１９，１９で吊りテープ取付け布１６に縫い付けているため、吊りテープ１３は外れたり剥がれたりすることがない。また、吊りテープ１３を縫い付けた略矩形状の吊りテープ取付け布１６は、広い面積で剥がれないように確りと天頂布上膜１４Ａの上に固着される。
なお、吊り込み作業を終えた後の吊りテープ１３は、後に施工する補強部材と締結するなどしてモルタル内に埋め込んでもよいが、必要がなければ、繊維材であるためカッター等を用いて縫い合せ部１８から上部を切って簡単に除去することができる。
【００２４】
図７は、図５と図６に示す吊りテープ１３の取付け状況を示す斜視説明図である。
吊りテープ１３は、帯状タブ材を環状にして、この環状の穴にロープや帯などの吊り上げロープ１１を挿通する。
この吊り上げロープ１１の引き上げによる可撓膜体の荷重は、複数個平均に天頂部近傍に取付けた吊りテープ１３を介して平均に分散されるため、天頂布及び吊り上げ部を損傷することがない。
【産業上の利用可能性】
【００２５】
この発明は、水や石油等の液体、低温液化ガス、消化ガス、粉体、粒状物などの各種貯蔵物を貯蔵する種々の貯槽等構築物の上部を被覆するドーム屋根を、エアードーム工法によって構築する際の可撓膜体の吊り上げに広範囲に適用することができる。
【符号の説明】
【００２６】
１  貯槽          
２  ドーム屋根          
３  底版          
４  側壁          
５  可撓膜体          
６  補助ワイヤー          
７  足場          
８  センター架台          
９  クレーン          
１０  引込みロープ          
１１  吊り上げロープ          
１２  膜体吊り用部材          
１３  吊りテープ          
１３Ａ  吊りテープ両裾部
１４  天頂部膜体          
１４Ａ  天頂布上膜          
１４Ｂ  天頂布下膜          
１５  環状部膜体          
１６  吊りテープ取付け布      
１７  押えテープ      
１８  縫い合せ部      
１９  縫い付け部      
１０１  貯槽          
１０２  ドーム屋根          
１０３  底版          
１０４  側壁          
１０５  可撓膜体          
１０６  送風機          
【図１】
0005419009.tif 000002
【図２】
0005419009.tif 000003
【図３】
0005419009.tif 000004
【図４】
0005419009.tif 000005
【図５】
0005419009.tif 000006
【図６】
0005419009.tif 000007
【図７】
0005419009.tif 000008
【図８】
0005419009.tif 000009